(57)【要約】【課題】  透過型液晶ディスプレイを用いて、製品の宣伝・広告効果を高めるとともに、粒感のない強い光を照射することのできる、広告ユニットおよび広告用トラックを提供する。【解決手段】  物品や人を収容可能な収容ケース２と、この収容ケース２の正面側に開口された開口部２１に設置される透過型液晶ディスプレイ３と、前記収容ケース２内に設けられる照明器具４とを有する広告ユニット１であって、前記照明器具４が、３個単位を１セットとして通電可能に接続された複数の発光ダイオード群４１，４１，４１を有しているとともに、各発光ダイオード４１が縦方向および横方向に等間隔に配置されている。【選択図】  図１
2017009810.tif 000002
【特許請求の範囲】
【請求項１】
物品や人を収容可能な収容ケースと、この収容ケースの正面側に開口された開口部に設置される透過型液晶ディスプレイと、前記収容ケース内に設けられる照明器具とを有する広告ユニットであって、
前記照明器具が、３個単位を１セットとして通電可能に接続された複数の発光ダイオード群を有しているとともに、各発光ダイオードが縦方向および横方向に等間隔に配置されている、前記広告ユニット。
【請求項２】
前記発光ダイオード群における３個の発光ダイオードが三角形の頂点位置に配置される組合せにより全体として縦方向および横方向に等間隔で配置されている、請求項１に記載の広告ユニット。
【請求項３】
前記各発光ダイオードの縦方向および横方向の間隔がそれぞれ約５０ｍｍである、請求項１または請求項２に記載の広告ユニット。
【請求項４】
前記各発光ダイオードが銅板を彫り込み回路を形成した銅製基板に配置されている、請求項１から請求項３のいずれかに記載の広告ユニット。
【請求項５】
請求項１から請求項４のいずれかに記載の広告ユニットを荷台に設置した、広告用トラック。
【発明の詳細な説明】
【技術分野】
【０００１】
本発明は、映像を用いて製品等の効果的な宣伝・広告を行うための広告ユニットおよび広告用トラックに関するものである。
【背景技術】
【０００２】
従来、製品等に映像を投影させる、いわゆるプロジェクションマッピングにより、視覚効果を高めて製品の宣伝・広告を行う方法がある。しかし、プロジェクションマッピングは、プロジェクターによって比較的粗い映像を３次元の製品上に投影するため、建築物等の大きなものに投影して遠方から見る分には粗さが目立たないものの、比較的小さな製品等に投影する場合は繊細な映像を綺麗に表現ができなかった。また、プロジェクターによる光量では、夜や室内等の暗い環境でしか使用することができず、日中の野外等の明るい環境では使用することができない。
【０００３】
そこで、これまでに、プロジェクションマッピングに変わる新たな映像を用いた製品の宣伝・広告方法が提案されている。
【０００４】
例えば、特開２０１２−５３８７５号公報では、内側に陳列された製品が透けて見えるように透明ディスプレイパネルを用いたプロモーション広告統合サービス機能を備えた自動販売機が提案されている（特許文献１）。この特許文献１によると、自動販売機の前面に透明ディスプレイパネルを配置することで、広告の可視的効果を高めるとともに、広告中にも購買しようとする商品を確認することができるとされている。
【先行技術文献】
【特許文献】
【０００５】
【特許文献１】特開２０１２−５３８７５号公報
【発明の概要】
【発明が解決しようとする課題】
【０００６】
しかしながら、特許文献１に記載された発明等の従来の自動販売機については、陳列された製品を明るく見せるために、発光ダイオード（Ｌｉｇｎｔ  ｅｍｉｔｔｉｎｇ  ｄｉｏｄｅ：ＬＥＤ）を用いた照明器具が用いられるが、従来の発光ダイオードを用いた照明器具では、発光ダイオード特有の粒感が出てしまうため、均等に強い明かりをあてることができないという問題があった。そのため、陳列されている製品が暗いか、または粒感が目立ち製品自体の視覚的な魅力を損なうという問題があった。
【０００７】
本発明は、このような問題点を解決するためになされたものであって、透過型液晶ディスプレイを用いて、製品の宣伝・広告効果を高めるとともに、粒感のない強い光を照射することのできる、広告ユニットおよび広告用トラックを提供することを目的としている。
【課題を解決するための手段】
【０００８】
本発明に係る広告ユニットは、物品や人を収容可能な収容ケースと、この収容ケースの正面側に開口された開口部に設置される透過型液晶ディスプレイと、前記収容ケース内に設けられる照明器具とを有する広告ユニットであって、前記照明器具が、３個単位を１セットとして通電可能に接続された複数の発光ダイオード群を有しているとともに、各発光ダイオードが縦方向および横方向に等間隔に配置されている。
【０００９】
また、本発明の一態様として、前記発光ダイオード群における３個の発光ダイオードが三角形の頂点位置に配置される組合せにより全体として縦方向および横方向に等間隔で配置されているようにしてもよい。
【００１０】
さらに、本発明の一態様として、前記各発光ダイオードの縦方向および横方向の間隔がそれぞれ約５０ｍｍであってもよい。
【００１１】
さらにまた、本発明の一態様として、前記各発光ダイオードが銅板を彫り込み回路を形成した銅製基板に配置されていてもよい。
【００１２】
また、本発明に係る広告用トラックは、前記広告ユニットを荷台に設置している。
【発明の効果】
【００１３】
本発明によれば、透過型液晶ディスプレイを用いて、製品の宣伝・広告効果を高めるとともに、粒感のない強い光を照射することができる。
【図面の簡単な説明】
【００１４】
【図１】本発明に係る広告ユニットの一実施形態を示す斜視図である。
【図２】本実施形態における照明器具を示す模式図である。
【図３】本実施形態における照明器具の銅製基板および発光ダイオードの回路配線を示す模式図である。
【図４】本実施形態の広告ユニットにハンドバックを収容した使用状態を示す斜視図である。
【発明を実施するための形態】
【００１５】
以下、本発明に係る広告ユニットおよび広告用トラックの一実施形態について図面を用いて説明する。
【００１６】
本実施形態の広告ユニット１は、図１に示すように、物品や人を収容可能な収容ケース２と、この収容ケース２の正面側に開口された開口部２１に設置される透過型液晶ディスプレイ３と、前記収容ケース２の天板部分に設けられる照明器具４とを有する。
【００１７】
収容ケース２は、宣伝・広告の対象となる製品やこの製品をディスプレイするためのマネキン等の各種物品、または洋服等の製品を身につけた人等を収容しうるケースであって、前記宣伝・広告の対象の大きさや数等に応じて、適宜選択されるものである。
【００１８】
本実施形態における収容ケース２は、図１に示すように、バック等の小型の製品を収容可能な大きさを有しており、プラスチック板等によって略直方体状に形成されている。この収容ケース２には、側面または背面に物品や人等の対象品を出し入れするための搬入扉２２が設けられている。また、この収容ケース２の正面側には、透過型液晶ディスプレイ３を設置するための開口部２１が開口されている。なお、収容ケース２内の背面は、前記透過型液晶ディスプレイ３に映し出される映像を綺麗に反映するために白色系の彩色が施されている。
【００１９】
なお、収容ケース２は、略直方体状のものに限定されるものではなく、球形も含めてその内部に対象物を配置する空間が形成されれば特に限定されない。また、収容ケース２の内壁の色は、特に限定されるものではなく、製品等の色や透過型液晶ディスプレイ３に映し出す映像に応じて適宜選択してよい。さらに、収容ケース２は、小型のものに限らず大型のものであってもよく、製品等を収容可能な大きさを備えていれば、例えば、ショウウィンドウや通路の壁の中なども利用できる。
【００２０】
透過型液晶ディスプレイ３は、透過性を有するディスプレイであって、映像を映し出していない状態においては透明な状態であり、映像を表示する場合にはその面の一部または全部に任意の２次元映像を映し出すことができる。また、本実施形態では、ハイビジョン映像等の高精細な画像を映し出せるものを用いている。
【００２１】
この透過型液晶ディスプレイ３は、図１に示すように、前記収容ケース２の正面側に開口された略矩形状の開口部２１に設置されており、前記収容ケース２の正面側から見ると、前記収容ケース２内に収容されている製品等を透過させられるため、当該製品等と映像とを重ねてコラボレーションさせた演出が可能となる。また、本実施形態では、図示しないが、ブルーレイディスクプレーヤーやパーソナルコンピュータ等の映像再生機器と接続されており、収容される製品等に応じて予め録画、プログラム等された映像を映し出せるようになっており、製品等の広告のための多彩な演出が可能である。
【００２２】
なお、透過型液晶ディスプレイ３は、収容ケース２の１面に設けられているものに限定されるものではなく、２面以上に設けられていてもよい。また、前記開口部２１の形状は、略矩形状のものに限定されるものではなく、収容ケース２の形状や収容される製品等に応じて、円形状や多角形状等から適宜選択してよい。
【００２３】
照明器具４は、収容されている製品等に光を当てて照らすためのものであり、前記収容ケース２内に設けられている。本実施形態における照明器具４は、図２に示すように、複数の発光ダイオード４１，４１・・・と、これらの発光ダイオード４１を通電可能に接続する銅製基板４２と、前記各発光ダイオード４１に電力を供給する電源装置４３とを有する。
【００２４】
発光ダイオード４１は、通電させることで発光するものであり、本実施形態では、市販品の発光ダイオード４１を使用している。この発光ダイオード４１は、図３に示すように、製品等に光を照射したときに各発光ダイオード４１による粒感が出ないように３個単位を１セットとして通電可能に接続された発光ダイオード群４１，４１，４１を形成しており、各発光ダイオード４１は縦方向および横方向に等間隔で配置されている。
【００２５】
本実施形態における発光ダイオード群４１，４１，４１は、３個の発光ダイオード４１が二等辺三角形の頂点位置にそれぞれ配置されており、全体として縦方向予行方向に等間隔で配置されている。また、各発光ダイオード４１は、縦方向および横方向の間隔をそれぞれ約５０ｍｍとして配置されている。
【００２６】
なお、発光ダイオード群４１，４１，４１の構成は、三角形の頂点位置に配置されるものに限定されるものではなく、略直線状に並べるようにしてもよい。
【００２７】
銅製基板４２は、各発光ダイオード４１を所定の間隔で配置して固定するとともに、各発光ダイオード４１を通電可能に接続するためのものである。基板自体を銅製にすることにより、基板に接続される配線を極力減らすとともに、形状を自由に変化させることができるようにしている。本実施形態における銅製基板４２は、銅製の板材に回路を彫り込むことで制作されており、３個の発光ダイオード４１を発光ダイオード群４１，４１，４１として構成するように通電可能に接続している。また、各々の発光ダイオード群４１，４１，４１は、図３に示すように、並列配置により電源装置に通電可能に接続されている。
【００２８】
本実施形態における銅製基板４２は、図１に示すように、収容ケース２の天板として設けられており、製品等に対して上から光を照射するようになっている。なお、銅製基板４２を設置する位置は天板部分に限定されるものではなく側面や底面等、製品等の宣伝・広告に応じて変更してよい。
【００２９】
電源装置４３は、各発光ダイオード４１に所定の電力を供給するための装置である。本実施形態における電源装置４３は、いわゆるＡＣ／ＤＣ電源であって、前記銅製基板４２に通電可能接続されており、コンセント等の交流電源から電力を受け、その電力を１２ボルトの電圧に変換された直流電源に変換して供給できるようになっている。
【００３０】
なお、電源装置４３は、ＡＣ／ＤＣ電源に限定されるものではなく、バッテリー等の直流電源装置等から適宜選択してよい。
【００３１】
つぎに、本実施形態の広告用トラックについて説明する。本実施形態の広告用トラックは、トラック本体と、このトラック本体の荷台に設置される広告ユニットとを有する。
【００３２】
トラック本体は、一般的なトラックであって、公道を走行できるものが望ましい。このトラック本体の荷台部分には、広告ユニット１が設置されている。本実施形態では、歩道側の左側面を正面側としており、走行中や駐停車中に歩道を歩く歩行者等に収容された製品等の宣伝・広告が行えるようになっている。なお、広告ユニットの透過型液晶ディスプレイ３および照明器具４に用いられる電力の電源は、前記トラック本体に設けられているオルタネーター等の発電機を用いてもよく、別途、専用のバッテリー等を搭載していてもよい。
【００３３】
つぎに、前述した本実施形態の広告ユニット１および広告用トラックにおける各構成の作用について説明する。
【００３４】
収容ケース２には、宣伝・広告を行うための製品等が収容される。本実施形態では、収容ケースの搬入扉２２から、図１に示すように、内部にハンドバックを収容する。このとき、収容ケース２内には、製品の宣伝・広告効果を高めるために製品等を搭載する台や装飾等を収容してもよい。
【００３５】
透過型液晶ディスプレイ３では、収容されている製品等に合わせた映像を映し出す。本実施形態では、図４に示すように、水中にハンドバックが置かれているような視覚効果を再構築させるために泡等の映像を映し出している。これにより、映像とともに製品等を見ることができるため、見る者に驚きや感動を与え、製品等の宣伝・広告効果を高めることができる。
【００３６】
また、透過型液晶ディスプレイ３に映し出す映像には、文字情報等を含んでいてもよく、例えば、製品等の説明文やキャッチフレーズ、価格等を表示してもよい。透過型液晶ディスプレイ３は高精細な画質を映し出すことができるため、文字情報も効果的に演出することができる。
【００３７】
さらに、映し出される映像は、収容されている製品等の動きに合わせた動画等であってもよい。例えば、収容ケース２内を歩く人に結婚式のドレス等を着せることができ、新たなファッションショーの演出等に応用することができる。また、製品等から離れた位置に映像を重ねることができるため、例えば、手からレーザービームが発射されている映像を人の動きに重ね合わせることで、ヒーローアニメの必殺技等を擬似的に繰り出させたような視覚効果を構築することもできる。
【００３８】
また、本実施形態における照明器具４では、電源装置４３から得られる直流電力を、銅製基板４２を介して各発光ダイオード４１で受け、光を照射する。このとき、発光ダイオード４１を３個で１セットの発光ダイオード群４１，４１，４１とするとともに、各発光ダイオード４１同士を均等な間隔で配置されているため、発光ダイオード４１特有の粒感が目立たなくなり、より美しく製品等を照らすことができる。
【００３９】
また、強い光で発光させることができるため、透過型液晶ディスプレイ３の映像と重ね合わせた際に、収容されている製品等を視認することが可能になる。例えば、日中の明るい環境下においても、製品等を際立たせたり、映像とリンクさせたりすることできる。
【００４０】
広告用トラックでは、前記広告ユニット１を外に持ち出すことができる。走行する場所は、公道のみならず、サーキット場等であってもよい。広告用トラックであれば、歩道を歩く人にも宣伝・広告を行うことができるため、より多くの人に伝えられ、効率よく宣伝・広告することができる。
【００４１】
以上のような本実施形態の広告ユニット１および広告用トラックによれば、以下の効果を得ることができる。
１．粒感のない強い光を照射することができるため、宣伝・広告の対象となる製品を明るく綺麗に表現することができ、透過型液晶ディスプレイ３の映像と重ね合わせても、高い視覚効果を得ることができる。
２．透過型液晶ディスプレイ３の映像と重ね合わせることで、様々な視覚効果を得ることができ、幅広い宣伝・広告手法を採用することができる。
３．高精度の２次元画像を映し出すため、高精細な表現をすることができる。
４．屋外等の明るい環境下でも使用できるため、トラック等に積んで、様々な場所で宣伝・広告活動を行うことができる。
【００４２】
なお、本発明に係る広告ユニットおよび広告用トラックは、前述した実施形態に限定されるものではなく、適宜変更することができる。
【００４３】
例えば、透過型液晶ディスプレイ３には、モーションキャプチャー装置等で撮影して得られた動きとリアルタイムに連動させた映像を映し出せるようにしてもよい。
【００４４】
また、透過型液晶ディスプレイ３に、タッチパネル機能を付加し、映像とリンクさせることにより、見ている人が映し出す映像等を自由に選択できるようにしてもよい。
【符号の説明】
【００４５】
１  広告ユニット
２  収容ケース
３  透過型液晶ディスプレイ
４  照明器具
２１  開口部
２２  搬入扉
４１  発光ダイオード
４２  銅製基板
４３  電源装置
【図１】
2017009810.tif 000003
【図２】
2017009810.tif 000004
【図３】
2017009810.tif 000005
【図４】
2017009810.tif 000006